(57)【要約】【課題】受信不能状態であると登録した受信側の移動通信端末機に対する音声メッセージを保存し、前記保存された音声メッセージを前記受信側の移動通信端末機の要求により転送することで、ＰＴＴサービスにおけるユーザの利便性を向上させた移動通信端末機のＰＴＴサービス改善装置及びその方法を提供する。【解決手段】移動通信端末機のＰＴＴサービス改善装置は、受信側の移動通信端末機が受信不能状態である場合、送信側の移動通信端末機から送信された音声メッセージを保存するＶＭＳサーバ４０と、前記保存された音声メッセージを前記受信側の移動通信端末機の要求により該受信側の移動通信端末機に転送するＳＩＰプロキシサーバ２０とを含む。【選択図】図１
2006191555.tif 000002
【特許請求の範囲】
【請求項１】
受信側の移動通信端末機が受信不能状態である場合、送信側の移動通信端末機から送信された音声メッセージを保存するＶＭＳサーバと、
前記保存された音声メッセージを前記受信側の移動通信端末機の要求により該受信側の移動通信端末機に転送するＳＩＰプロキシサーバと
を含むことを特徴とする移動通信端末機のＰＴＴサービス改善装置。
【請求項２】
前記受信側の移動通信端末機は、
受信不能状態になると、受信不能状態を通知する警告メッセージを発生し、前記発生した警告メッセージを前記ＳＩＰプロキシサーバに登録することを特徴とする請求項１に記載の移動通信端末機のＰＴＴサービス改善装置。
【請求項３】
前記ＳＩＰプロキシサーバは、
登録された警告メッセージがある場合、前記送信側の移動通信端末機から送信された音声メッセージを前記ＶＭＳサーバに転送することを特徴とする請求項２に記載の移動通信端末機のＰＴＴサービス改善装置。
【請求項４】
前記受信側の移動通信端末機は、
受信可能状態になると、受信可能状態を通知する通知メッセージを発生し、前記発生した通知メッセージを前記ＳＩＰプロキシサーバに登録することを特徴とする請求項１に記載の移動通信端末機のＰＴＴサービス改善装置。
【請求項５】
前記ＳＩＰプロキシサーバは、
登録された通知メッセージがある場合、前記保存された音声メッセージが存在することを前記受信側の移動通信端末機に通知することを特徴とする請求項４に記載の移動通信端末機のＰＴＴサービス改善装置。
【請求項６】
前記ＳＩＰプロキシサーバは、
前記受信側の移動通信端末機の要求により前記保存された音声メッセージを前記受信側の移動通信端末機に転送することを特徴とする請求項５に記載の移動通信端末機のＰＴＴサービス改善装置。
【請求項７】
前記受信側の移動通信端末機は、
少なくとも１つ以上であることを特徴とする請求項１に記載の移動通信端末機のＰＴＴサービス改善装置。
【請求項８】
受信側の移動通信端末機が受信不能状態である場合、送信側の移動通信端末機から送信された音声メッセージを保存する段階と、
前記保存された音声メッセージを前記受信側の移動通信端末機の要求により前記受信側の移動通信端末機に転送する段階と
を含むことを特徴とする移動通信端末機のＰＴＴサービス改善方法。
【請求項９】
前記音声メッセージを保存する段階は、
前記受信側の移動通信端末機が受信不能状態になると、受信不能状態を通知する警告メッセージを発生し、前記発生した警告メッセージをＳＩＰプロキシサーバに登録する段階と、
登録された警告メッセージがある場合、前記送信側の移動通信端末機から送信された音声メッセージをＶＭＳサーバに保存する段階とを含むことを特徴とする請求項８に記載の移動通信端末機のＰＴＴサービス改善方法。
【請求項１０】
前記受信側の移動通信端末機が受信可能状態になると、受信可能状態を通知する通知メッセージを発生し、前記発生した通知メッセージをＳＩＰプロキシサーバに登録する段階と、
登録された通知メッセージがある場合、前記保存された音声メッセージが存在することを前記受信側の移動通信端末機に通知する段階と、
前記受信側の移動通信端末機の要求により前記保存された音声メッセージを前記受信側の移動通信端末機に転送する段階とを含むことを特徴とする請求項８に記載の移動通信端末機のＰＴＴサービス改善方法。
【請求項１１】
前記受信側の移動通信端末機は、
少なくとも１つ以上であることを特徴とする請求項８に記載の移動通信端末機のＰＴＴサービス改善方法。
【発明の詳細な説明】
【技術分野】
【０００１】
本発明は、移動通信端末機に関し、特に、ＰＴＴ（Ｐｕｓｈ  Ｔｏ  Ｔａｌｋ）サービスにおけるユーザの利便性を向上させる移動通信端末機のＰＴＴサービス改善装置及びその方法に関する。
【背景技術】
【０００２】
最近の移動通信端末機は、機能が進歩するにつれて、単純な無線通信手段を超えてカメラ機能、マルチメディア再生機能のような無線通信以外の機能を備えている。このようなカメラ機能及びマルチメディア再生機能は、移動通信端末機の表示装置の改善及び高速通信の実現により、次第に大衆化されている高級機能であり、高解像度のデジタルカメラ及びカラー液晶表示装置（Ｌｉｑｕｉｄ  Ｃｒｙｓｔａｌ  Ｄｉｓｐｌａｙ：  ＬＣＤ）を備えた移動通信端末機は、既に一般化されてきている。
【０００３】
それにあわせて、ＰＴＴサービスに対応した移動通信端末機が活発に開発されているが、前記ＰＴＴサービスは、無線機サービスのように発言権が一人にのみ与えられる半二重（Ｈａｌｆ−Ｄｕｐｌｅｘ）通信方式であり、一対一（Ｏｎｅ−ｔｏ−Ｏｎｅ）又は一対多（Ｏｎｅ−ｔｏ−Ｍａｎｙ）の通話サービスを提供する。
【０００４】
ここで、双方向通信（Ｆｕｌｌ−Ｄｕｐｌｅｘ）は、話し手と聞き手とを区分せずに自由に通話し得るが、前記ＰＴＴサービスのような半二重通信は、話し手と聞き手との区分が明確で、発言権を有する使用者のみが話し手になる。以下、従来技術に係る移動通信端末機のＰＴＴサービスを提供する装置を図３に基づいて説明する。
【０００５】
図３は、従来の移動通信端末機のＰＴＴサービス提供装置の動作原理を説明するための図である。
【０００６】
図３に示すように、従来技術に係る移動通信端末機のＰＴＴサービス提供装置は、移動通信端末機に装着されたＰＴＴキーを利用して音声データを送信する送信側の移動通信端末機１０と、前記送信された音声データを転送するＳＩＰ（Ｓｅｓｓｉｏｎ  Ｉｎｉｔｉａｔｉｏｎ  Ｐｒｏｔｏｃｏｌ）プロキシサーバ（Ｐｒｏｘｙ  Ｓｅｒｖｅｒ）２０と、前記転送された音声データを受信する受信側の移動通信端末機３０とを含む。
【０００７】
以下、このように構成された従来技術に係る移動通信端末機のＰＴＴサービス提供装置の動作原理を説明する。
【０００８】
まず、送信側の移動通信端末機１０は、移動通信端末機に発言権を要求するためのＰＴＴキーを装着し、前記装着されたＰＴＴキーを押してユーザが発言権を要求する。すなわち、送信側の移動通信端末機１０は、ユーザが発言権を要求するＩＮＶＩＴＥメッセージをＳＩＰプロキシサーバ２０に送信する。
【０００９】
該ＳＩＰプロキシサーバ２０は、前記ＩＮＶＩＴＥメッセージを受信し、前記受信されたＩＮＶＩＴＥメッセージに基づいて該当する受信側の移動通信端末機３０の位置を確認し、受信側の移動通信端末機３０と送信側の移動通信端末機１０間にＳＩＰを用いてセッション（Ｓｅｓｓｉｏｎ）を設定する。ここで、ＳＩＰプロキシサーバ２０は、受信側の移動通信端末機３０と送信側の移動通信端末機１０間にセッションを設定し得ない場合、例えば、受信側の移動通信端末機３０が受信圏外（電波の届かない地域）にあるか、又は受信拒否状態である場合、送信側の移動通信端末機１０にエラーメッセージを転送することで、送信側の移動通信端末機１０は受信側の移動通信端末機３０に音声メッセージを送信することができない。
【００１０】
その後、送信側の移動通信端末機１０がＳＩＰプロキシサーバ２０に音声メッセージを送信すると、該ＳＩＰプロキシサーバ２０はＲＴＰ（Ｒｅａｌ  Ｔｉｍｅ  Ｐｒｏｔｏｃｏｌ）を用いて前記送信された音声メッセージを送信側の移動通信端末機１０とセッションが設定された受信側の移動通信端末機３０に転送する。
【００１１】
しかしながら、このような従来の移動通信端末機のＰＴＴサービス提供装置は、セッションが設定された受信側の移動通信端末機にのみ音声メッセージを転送するようになっているため、セッションが設定されていない受信側の移動通信端末機には音声メッセージを転送し得ないという問題があった。
【発明の開示】
【発明が解決しようとする課題】
【００１２】
本発明の目的は、受信不能状態であると登録した受信側の移動通信端末機に対する音声メッセージを保存し、前記保存された音声メッセージを前記受信側の移動通信端末機の要求により転送することで、ＰＴＴサービスにおけるユーザの利便性を向上させた移動通信端末機のＰＴＴサービス改善装置及びその方法を提供することにある。
【課題を解決するための手段】
【００１３】
このような目的を達成するために、本発明に係る移動通信端末機のＰＴＴサービス改善装置は、受信側の移動通信端末機が受信不能状態である場合、送信側の移動通信端末機から送信された音声メッセージを保存するＶＭＳサーバと、前記保存された音声メッセージを前記受信側の移動通信端末機の要求により該受信側の移動通信端末機に転送するＳＩＰプロキシサーバとを含むことを特徴とする。
【００１４】
このような目的を達成するために、本発明に係る移動通信端末機のＰＴＴサービス改善方法は、受信側の移動通信端末機が受信不能状態である場合、送信側の移動通信端末機から送信された音声メッセージを保存する段階と、前記保存された音声メッセージを前記受信側の移動通信端末機の要求により前記受信側の移動通信端末機に転送する段階とを含むことを特徴とする。
【００１５】
上記目的を達成するために、本発明は、例えば、以下の手段を提供する。
【００１６】
（項目１）
受信側の移動通信端末機が受信不能状態である場合、送信側の移動通信端末機から送信された音声メッセージを保存するＶＭＳサーバと、
前記保存された音声メッセージを前記受信側の移動通信端末機の要求により該受信側の移動通信端末機に転送するＳＩＰプロキシサーバと
を含むことを特徴とする移動通信端末機のＰＴＴサービス改善装置。
【００１７】
（項目２）
前記受信側の移動通信端末機は、
受信不能状態になると、受信不能状態を通知する警告メッセージを発生し、前記発生した警告メッセージを前記ＳＩＰプロキシサーバに登録することを特徴とする項目１に記載の移動通信端末機のＰＴＴサービス改善装置。
【００１８】
（項目３）
前記ＳＩＰプロキシサーバは、
登録された警告メッセージがある場合、前記送信側の移動通信端末機から送信された音声メッセージを前記ＶＭＳサーバに転送することを特徴とする項目２に記載の移動通信端末機のＰＴＴサービス改善装置。
【００１９】
（項目４）
前記受信側の移動通信端末機は、
受信可能状態になると、受信可能状態を通知する通知メッセージを発生し、前記発生した通知メッセージを前記ＳＩＰプロキシサーバに登録することを特徴とする項目１に記載の移動通信端末機のＰＴＴサービス改善装置。
【００２０】
（項目５）
前記ＳＩＰプロキシサーバは、
登録された通知メッセージがある場合、前記保存された音声メッセージが存在することを前記受信側の移動通信端末機に通知することを特徴とする項目４に記載の移動通信端末機のＰＴＴサービス改善装置。
【００２１】
（項目６）
前記ＳＩＰプロキシサーバは、
前記受信側の移動通信端末機の要求により前記保存された音声メッセージを前記受信側の移動通信端末機に転送することを特徴とする項目５に記載の移動通信端末機のＰＴＴサービス改善装置。
【００２２】
（項目７）
前記受信側の移動通信端末機は、
少なくとも１つ以上であることを特徴とする項目１に記載の移動通信端末機のＰＴＴサービス改善装置。
【００２３】
（項目８）
受信側の移動通信端末機が受信不能状態である場合、送信側の移動通信端末機から送信された音声メッセージを保存する段階と、
前記保存された音声メッセージを前記受信側の移動通信端末機の要求により前記受信側の移動通信端末機に転送する段階と
を含むことを特徴とする移動通信端末機のＰＴＴサービス改善方法。
【００２４】
（項目９）
前記音声メッセージを保存する段階は、
前記受信側の移動通信端末機が受信不能状態になると、受信不能状態を通知する警告メッセージを発生し、前記発生した警告メッセージをＳＩＰプロキシサーバに登録する段階と、
登録された警告メッセージがある場合、前記送信側の移動通信端末機から送信された音声メッセージをＶＭＳサーバに保存する段階とを含むことを特徴とする項目８に記載の移動通信端末機のＰＴＴサービス改善方法。
【００２５】
（項目１０）
前記受信側の移動通信端末機が受信可能状態になると、受信可能状態を通知する通知メッセージを発生し、前記発生した通知メッセージをＳＩＰプロキシサーバに登録する段階と、
登録された通知メッセージがある場合、前記保存された音声メッセージが存在することを前記受信側の移動通信端末機に通知する段階と、
前記受信側の移動通信端末機の要求により前記保存された音声メッセージを前記受信側の移動通信端末機に転送する段階とを含むことを特徴とする項目８に記載の移動通信端末機のＰＴＴサービス改善方法。
【００２６】
（項目１１）
前記受信側の移動通信端末機は、
少なくとも１つ以上であることを特徴とする項目８に記載の移動通信端末機のＰＴＴサービス改善方法。
【発明の効果】
【００２７】
本発明に係る移動通信端末機のＰＴＴサービス改善装置及びその方法は、受信不能状態であると登録した受信側の移動通信端末機に対する音声メッセージを保存し、前記受信側の移動通信端末機の要求により前記保存された音声メッセージを転送することで、ＰＴＴサービスにおけるユーザの利便性を向上し得るという効果がある。
【発明を実施するための最良の形態】
【００２８】
以下、本発明に係る受信不能状態であることを登録した受信側の移動通信端末機に対する音声メッセージを保存し、前記受信側の移動通信端末機の要求により前記保存された音声メッセージを転送することで、ＰＴＴサービスにおけるユーザの利便性を向上し得る移動通信端末機のＰＴＴサービス改善装置及びその方法の好ましい実施形態を添付図面に基づいて説明する。
【００２９】
図１は、本発明に係る移動通信端末機のＰＴＴサービス改善装置の動作原理を説明するための図である。
【００３０】
図１に示すように、本発明に係る移動通信端末機のＰＴＴサービス改善装置は、移動通信端末機に装着されたＰＴＴキーを押して音声メッセージを送信する送信側の移動通信端末機１０と、該送信側の移動通信端末機１０から送信された音声メッセージを転送するＳＩＰプロキシサーバ２０と、該ＳＩＰプロキシサーバから転送された音声メッセージを保存するＶＭＳサーバ４０と、該ＶＭＳサーバに保存された音声メッセージを要求及び受信する受信側の移動通信端末機３０とを含む。
【００３１】
このように構成された本発明に係る移動通信端末機のＰＴＴサービス改善方法を図２に基づいて説明する。
【００３２】
図２は、本発明に係る移動通信端末機のＰＴＴサービス改善方法を示すフローチャートである。
【００３３】
図２に示すように、本発明に係る移動通信端末機のＰＴＴサービス改善方法は、受信側の移動通信端末機３０の受信不能状態を通知する警告メッセージを登録する段階（Ｓ３１）と、前記登録された警告メッセージがあると、送信側の移動通信端末機１０から受信された音声メッセージを保存する段階（Ｓ３３）と、受信側の移動通信端末機３０の受信可能状態を通知する通知メッセージを登録する段階（Ｓ３５）と、前記登録された通知メッセージがあると、前記保存された音声メッセージが存在することを受信側の移動通信端末機３０に通知する段階（Ｓ３７）と、受信側の移動通信端末機３０の要求により前記保存された音声メッセージを受信側の移動通信端末機３０に転送する段階（Ｓ３９）とを含む。
【００３４】
以下、本発明に係る移動通信端末機のＰＴＴサービス改善方法を説明する。
【００３５】
まず、受信側の移動通信端末機３０は、送信側の移動通信端末機１０から送信された音声メッセージを受信し得なくなると、受信不能状態であることを通知する警告メッセージをＳＩＰプロキシサーバ２０に登録する（Ｓ３１）。すなわち、受信側の移動通信端末機３０は、受信圏外に進入する場合に自動で前記警告メッセージを発生してＳＩＰプロキシサーバ２０に登録するか、又はユーザが会議や教育中である場合にユーザにより受信拒否を設定するための前記警告メッセージを発生してＳＩＰプロキシサーバ２０に登録する。
【００３６】
すなわち、ユーザは、送信側の移動通信端末機１０に装着されたＰＴＴキーを押して発言権を要求し、送信側の移動通信端末機１０は、発言権を要求するＩＮＶＩＴＥメッセージをＳＩＰプロキシサーバ２０に送信する。
【００３７】
該ＳＩＰプロキシサーバ２０は、前記ＩＮＶＩＴＥメッセージを受信すると、前記受信されたＩＮＶＩＴＥメッセージに基づいて該当する受信側の移動通信端末機３０の受信不能状態を通知する警告メッセージを確認する。すなわち、ＳＩＰプロキシサーバ２０は、受信側の移動通信端末機３０が受信不能状態（例えば、受信側の移動通信端末機３０が受信圏外に位置している場合、又は受信拒否状態でる場合）であっても、ＳＩＰを用いて送信側の移動通信端末機１０とセッションを設定し、それにより、送信側の移動通信端末機１０はＳＩＰプロキシサーバ２０に音声メッセージを送信し得る。
【００３８】
それに対して、ＳＩＰプロキシサーバ２０は、受信側の移動通信端末機３０が受信可能状態である場合、該受信側の移動通信端末機３０と送信側の移動通信端末機１０間のセッションをＳＩＰを用いて設定し、前記設定されたセッションにより送信側の移動通信端末機１０から送信された音声メッセージが受信側の移動通信端末機３０に受信される。これは、従来の移動通信端末機のＰＴＴサービスを提供する装置の動作原理と同一であるので、これに関する詳細な説明は省略する。
【００３９】
送信側の移動通信端末機１０は、前記セッションが設定されたＳＩＰプロキシサーバ２０に音声メッセージを送信し、該ＳＩＰプロキシサーバ２０は前記送信された音声メッセージをＶＭＳサーバ４０に転送し、該ＶＭＳサーバ４０は前記転送された音声メッセージを予め決定された時間保存する（Ｓ３３）。ここで、前記予め決定された時間は、受信側の移動通信端末機３０から削除命令を受けるまでの時間を意味することもできる。
【００４０】
その後、受信側の移動通信端末機３０は、送信側の移動通信端末機１０から送信された音声メッセージの受信が可能になると、受信可能状態であることを通知する通知メッセージをＳＩＰプロキシサーバ２０に登録する（Ｓ３５）。すなわち、受信側の移動通信端末機３０は、受信圏外から受信圏内に移動した場合に自動で前記通知メッセージを発生してＳＩＰプロキシサーバ２０に登録するか、又はユーザの会議や教育などが終わった場合にユーザが受信可能を設定するための前記通知メッセージを発生してＳＩＰプロキシサーバ２０に登録する。
【００４１】
ＳＩＰプロキシサーバ２０は、受信側の移動通信端末機３０から受信可能状態であることを通知する通知メッセージを受信すると、受信側の移動通信端末機３０に前記保存された音声メッセージが存在することを通知するメッセージを転送し（Ｓ３７）、ユーザは前記転送されたメッセージに基づいて受信する音声メッセージが存在することが分かる。
【００４２】
ＳＩＰプロキシサーバ２０は、受信側の移動通信端末機３０の要求により前記保存された音声メッセージを受信側の移動通信端末機３０に転送する（Ｓ３９）。すなわち、受信側の移動通信端末機３０がＳＩＰプロキシサーバ２０に前記保存された音声メッセージを要求すると（Ｓ３９１）、ＳＩＰプロキシサーバ２０は、ＶＭＳサーバ４０に保存された音声メッセージをＲＴＰにより受信側の移動通信端末機３０に転送する（Ｓ３９３）。
【００４３】
従って、受信側の移動通信端末機３０は、前記受信不能状態であるときに送信側の移動通信端末機１０から送信された音声メッセージをＶＭＳサーバ４０に保存し、前記受信可能状態になると、前記保存された音声メッセージを受信することができる。
【００４４】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００４５】
受信不能状態であると登録した受信側の移動通信端末機に対する音声メッセージを保存し、前記保存された音声メッセージを前記受信側の移動通信端末機の要求により転送することで、ＰＴＴサービスにおけるユーザの利便性を向上させた移動通信端末機のＰＴＴサービス改善装置及びその方法を提供する。
【００４６】
移動通信端末機のＰＴＴサービス改善装置は、受信側の移動通信端末機が受信不能状態である場合、送信側の移動通信端末機から送信された音声メッセージを保存するＶＭＳサーバ４０と、前記保存された音声メッセージを前記受信側の移動通信端末機の要求により該受信側の移動通信端末機に転送するＳＩＰプロキシサーバ２０とを含む。
【図面の簡単な説明】
【００４７】
【図１】本発明に係る移動通信端末機のＰＴＴサービス改善装置の動作原理を説明するための図である。
【図２】本発明に係る移動通信端末機のＰＴＴサービス改善方法を示すフローチャートである。
【図３】従来の移動通信端末機のＰＴＴサービス提供装置の動作原理を説明するための図である。
【符号の説明】
【００４８】
１０  送信側の移動通信端末機
２０  ＳＩＰプロキシサーバ
３０  受信側の移動通信端末機
４０  ＶＭＳサーバ
【図１】
2006191555.tif 000003
【図２】
2006191555.tif 000004
【図３】
2006191555.tif 000005